(57)【要約】      （修正有）【課題】視野角を切り替えることが可能なバックライトモジュールを提供する。【解決手段】バックライトモジュール１０は、第１のラスタ層１００、第１のバックライトユニット２００、第２のラスタ層３００及び第２のバックライトユニット４００を含む。第１のラスタ層は、それぞれが第１の方向Ｄ１に沿って延びる複数の第１の透光部１１０、１２０を含む。第１のバックライトユニットは、第１の導光板２２０及び第１の光源２３０を含み、第１の導光板は、第１のラスタ層の下方に設けられ、且つ第１の側辺２２１及び第２の側辺２２２を含み、第１の側辺と第２の側辺とが接続され、第１の側辺の長さ方向と第１の方向とは実質的に平行であり、第１の光源は、第１の側辺又は第２の側辺に設けられる。第２のラスタ層は、第１のバックライトユニットの下方に設けられ、それぞれが第２の方向Ｄ２に沿って延びる複数の第２の透光部３１０、３２０を含み、第２の方向と第１の方向とは実質的に垂直である。【選択図】図１
0003226894.tif 000002
【実用新案登録請求の範囲】
【請求項１】
それぞれが第１の方向に沿って延びる複数の第１の透光部を含む第１のラスタ層と、
第１の側辺及び第２の側辺を含み、前記第１の側辺と前記第２の側辺が接続され、前記第１の側辺の長さ方向と前記第１の方向とが実質的に平行であり、前記第２の側辺の長さ方向と前記第１の方向とが実質的に垂直であり、前記第１のラスタ層の下方に設けられる第１の導光板と、前記第１の導光板の前記第１の側辺又は前記第２の側辺に設けられ、第１の光線を発させて前記第１のラスタ層を通過させる第１の光源と、を備える第１のバックライトユニットと、
それぞれが第２の方向に沿って延びる複数の第２の透光部を含み、前記第２の方向と前記第１の方向とが実質的に垂直であり、前記第１のバックライトユニットの下方に設けられる第２のラスタ層と、
前記第２のラスタ層の下方に設けられ、第２の光線を発させて前記第２のラスタ層を通過させる第２のバックライトユニットと、
を含むことを特徴とするバックライトモジュール。
【請求項２】
それぞれが第１の方向に沿って延びる複数の第１の透光部を含む第１のラスタ層と、
それぞれが第２の方向に沿って延びる複数の第２の透光部を含み、前記第２の方向と前記第１の方向とが実質的に垂直であり、前記第１のラスタ層の下方に設けられる第２のラスタ層と、
前記第１のラスタ層と前記第２のラスタ層との間に設けられる第１の導光板と、前記第１の方向に平行する且つ前記第２の方向に対して垂直である方向に沿って延びて、前記第１の導光板の側辺に位置し、第１の光線を発させて前記第１の導光板を経由して前記第１のラスタ層へ投射して、少なくとも一つの前記第１の透光部から通過させる第１の光源と、を備える第１のバックライトユニットと、
前記第２のラスタ層の下方に設けられ、第２の光線を発させて前記第２のラスタ層を通過させる第２のバックライトユニットと、
を含むことを特徴とするバックライトモジュール。
【請求項３】
それぞれが第１の方向に沿って延びる複数の第１の透光部を含む第１のラスタ層と、
それぞれが第２の方向に沿って延びる複数の第２の透光部を含み、前記第２の方向と前記第１の方向とが実質的に垂直であり、前記第１のラスタ層の下方に設けられる第２のラスタ層と、
前記第１のラスタ層と前記第２のラスタ層との間に設けられている第１の導光板と、前記第１の方向に対して垂直である且つ前記第２の方向に平行する方向に沿って延びて、前記第１の導光板の側辺に位置し、第１の光線を発させて前記第１の導光板を経由して前記第１のラスタ層へ投射し、少なくとも一つの前記第１の透光部から通過させる第１の光源と、を備える第１のバックライトユニットと、
前記第２のラスタ層の下方に設けられ、第２の光線を発させて前記第２のラスタ層を通過させる第２のバックライトユニットと、
を含むことを特徴とするバックライトモジュール。
【請求項４】
前記第１のバックライトユニットは、
前記第１のラスタ層と前記第１の導光板との間に設けられ、表面、及び前記表面に形成され且つ延伸方向が前記第１の方向と実質的に平行である複数の第１の集光構造を有する第１の輝度向上フィルムをさらに含む
ことを特徴とする請求項１乃至３のいずれか一項に記載のバックライトモジュール。
【請求項５】
前記第１の輝度向上フィルムの前記第１の集光構造は、突出したストリップ状のマイクロ構造であり、且つ、前記第１のラスタ層に対向している
ことを特徴とする請求項４に記載のバックライトモジュール。
【請求項６】
前記第２のバックライトユニットは、
底面及び少なくとも一つの側辺を含み、前記底面と前記側辺とが接続されている光学板と、
前記光学板の前記底面又は前記側辺に設けられ、前記第２の光線を発する第２の光源と、
を含むことを特徴とする請求項１乃至３のいずれか一項に記載のバックライトモジュール。
【請求項７】
前記第２のバックライトユニットは、
前記第２のラスタ層と前記光学板との間に設けられ、表面、及び前記表面に形成され且つ延伸方向が前記第２の方向と実質的に平行である複数の第２の集光構造を有する第２の輝度向上フィルムをさらに含む
ことを特徴とする請求項６に記載のバックライトモジュール。
【請求項８】
前記第２の輝度向上フィルムの前記第２の集光構造は、突出したストリップ状マイクロ構造であり、且つ、前記第２のラスタ層に対向している
ことを特徴とする請求項７に記載のバックライトモジュール。
【請求項９】
前記第１のバックライトユニットは、前記第１のラスタ層と前記第１の導光板との間に設けられる第１の輝度向上フィルムをさらに含み、前記第２のバックライトユニットは、前記第２のラスタ層と前記光学板との間に設けられる第２の輝度向上フィルムをさらに含み、前記第１の輝度向上フィルムは、複数の第１の集光構造を含み、前記第２の輝度向上フィルムは、複数の第２の集光構造を含み、各前記第１の集光構造の延伸方向は、各前記第２の集光構造の延伸方向に対して実質的に垂直である
ことを特徴とする請求項６に記載のバックライトモジュール。
【請求項１０】
前記第１のラスタ層及び前記第２のラスタ層は、それぞれルーバーインキフィルムである
ことを特徴とする請求項１乃至９のいずれか一項に記載のバックライトモジュール。
【考案の詳細な説明】
【技術分野】
【０００１】
本考案は、バックライトモジュールに関し、特に視野角を切り替えることが可能なバックライトモジュールに関する。
【背景技術】
【０００２】
科学技術の進歩に伴って、例えば携帯電話、タブレット、ノートパソコン、車両用ディスプレイなどのようなスクリーンを搭載した電子機器は、現代人の生活に不可欠な品物になっている。しかし、他人がいる場合にこのような電子デバイスを用いると、自分のプライバシが覗き見られたり、スクリーンから発せられる光が他人に干渉したりすることがある。
【０００３】
業者は、上記問題を解決するために、覗き見防止機能を備えた高分子フィルムを提供している。スクリーンに高分子フィルムが貼り付けられた場合、利用者が特定の視野角の範囲にいる時にのみスクリーンを見ることができるため、覗き見防止機能を提供することが可能である。しかし、利用者は自分が高分子フィルムを購入し且つ自分が貼り付ける必要があるため、使用のコストを向上させ且つ操作の便利性を低下させる。
【０００４】
また、業者は、車両用ディスプレイを提供し、バックライトモジュールに一層のラスタ層を付加し、前方と後方の大きな視野角の光線を遮断することによって、スクリーンから発せる光がフロントガラスに投射されて運転者の視野を妨げることを避けることができる。しかし、運転者は、依然としてスクリーンに表示されている内容を直接見ることができるため、運転者の注意力散漫が生じ、車両用ディスプレイの利用者のプライバシ保護に不利である。
【考案の概要】
【考案が解決しようとする課題】
【０００５】
よって、本考案は、バックライトモジュールを提供して、上記の問題を解決することを目的とする。
【課題を解決するための手段】
【０００６】
本考案の第１の態様の第１の実施形態によると、第１のラスタ層、第１のバックライトユニット、第２のラスタ層及び第２のバックライトユニットを備えるバックライトモジュールを提供する。第１のラスタ層は、それぞれが第１の方向に沿って延びる複数の第１の透光部を含む。第１のバックライトユニットは、第１の側辺及び第２の側辺を含み、第１の側辺と第２の側辺が接続され、第１の側辺の長さ方向と第１の方向とが実質的に平行であり、第２の側辺の長さ方向と第１の方向とが実質的に垂直であり、前記第１のラスタ層の下方に設けられる第１の導光板と、第１の導光板の第１の側辺又は第２の側辺に設けられ、第１の光線を発させて第１のラスタ層を通過させる第１の光源と、を備える。第２のラスタ層は、それぞれが第２の方向に沿って延びる複数の第２の透光部を含み、第２の方向と第１の方向とが実質的に垂直であり、第１のバックライトユニットの下方に設けられる。第２のバックライトユニットは、第２のラスタ層の下方に設けられ、第２の光線を発させて第２のラスタ層を通過させる。
【０００７】
本考案の第１の態様の第２の実施形態によると、第１のラスタ層、第２のラスタ層、第１のバックライトユニット及び第２のバックライトユニットを備えるバックライトモジュールを提供する。第１のラスタ層は、それぞれが第１の方向に沿って延びる複数の第１の透光部を含む。第２のラスタ層は、それぞれが第２の方向に沿って延びる複数の第２の透光部を含み、第２の方向と第１の方向とが実質的に垂直であり、前記第１のラスタ層の下方に設けられる。第１のバックライトユニットは、第１の導光板と第１の光源と、を備える。第１の導光板は、第１のラスタ層と第２のラスタ層との間に設けられる。第１の光源は、第１の方向に平行する且つ第２の方向に対して垂直である方向に沿って延びて、第１の導光板の側辺に位置し、第１の光線を発させて第１の導光板を経由して第１のラスタ層へ投射して、少なくとも一つの前記第１の透光部から通過させる。第２のバックライトユニットは、第２のラスタ層の下方に設けられ、第２の光線を発させて第２のラスタ層を通過させる。
【０００８】
本考案の第１の態様の第３の実施形態によると、第１のラスタ層、第２のラスタ層、第１のバックライトユニット及び第２のバックライトユニットを備えるバックライトモジュールを提供する。第１のラスタ層は、それぞれが第１の方向に沿って延びる複数の第１の透光部を含む。第２のラスタ層は、それぞれが第２の方向に沿って延びる複数の第２の透光部を含み、第２の方向と第１の方向とが実質的に垂直であり、第１のラスタ層の下方に設けられる。第１のバックライトユニットは、第１の導光板及び第１の光源を備え、第１の導光板は、第１のラスタ層と第２のラスタ層との間に設けられている。第１の光源は、第１の方向に対して垂直である且つ第２の方向に平行する方向に沿って延びて、第１の導光板の側辺に位置し、第１の光線を発させて前記第１の導光板を経由して前記第１のラスタ層へ投射し、少なくとも一つの第１の透光部から通過させる。第２のバックライトユニットは、第２のラスタ層の下方に設けられ、第２の光線を発させて第２のラスタ層を通過させる。
【考案の効果】
【０００９】
本考案は、従来技術に対して、視野角を切り替えることが可能なバックライトモジュールを提供し、それはディスプレイに適用でき、共有モード及びプライバシモードを設置してディスプレイに用いられ、利用者のプライバシの保護に有利であり、且つ他人に干渉することを避けることができる。
【図面の簡単な説明】
【００１０】
【図１】図１は、本考案の実施例によるバックライトモジュールの分解模式図である。
【図２】図２は、本考案の他の一実施例によるバックライトモジュールの分解模式図である。
【図３】図３は、本考案の実施例による光線が第２のラスタ層を通過する光路模式図である。
【図４】図４は、図１におけるバックライトモジュールの第１の広視野角共有モードでの光照射野分布図である。
【図５】図５は、図１におけるバックライトモジュールのプライバシモードでの光照射野分布図である。
【図６】図６は、図２のバックライトモジュールの第１の視野角偏移共有モードでの光照射野分布図である。
【図７】図７は、本考案の実施例によるディスプレイの視野角調整方法のステップフローチャートである。
【図８】図８は、本考案の他の一実施例によるディスプレイの視野角調整方法のステップフローチャートである。
【図９】図９は、本考案の他の一実施例によるディスプレイの視野角調整方法のステップフローチャートである。
【図１０】図１０は、本考案の他の一実施例によるディスプレイの視野角調整方法のステップフローチャートである。
【考案を実施するための形態】
【００１１】
本考案の上記及び他の技術的内容、特徴、及び効果は、添付の図面を参照した好ましい実施例の以下の詳細な説明において明確に提示される。以下の実施例で言及される方向の用語である例えば、上、下、左、右、前又は後とは、図面を参照する方向のみである。よって、用いられる方向を示す用語は説明のためのものであり、本考案を限定するものではない。なお、以下の各実施例において、同一又は類似の構成要素には同一又は類似の符号が用いられる。
【００１２】
本考案において、二つの構成要素が実質的に平行であることは、二つの構成要素が角度を成すことが可能であることを示し、当該角度は０度±１０度であり、０度±５度であることが好ましく、０度±３度であることがより好ましく、又は、当該角度は１８０度±１０度であり、１８０度±５度であることが好ましく、１８０度±３度であることがより好ましい。本考案において、二つの構成要素が実質的に垂直であることは、二つの構成要素が角度を成すことが可能であることを示し、当該角度は、９０度±１０度であり、９０度±５度であることが好ましく、９０度±３度であることがより好ましい。
【００１３】
本考案において、バックライトモジュールは、液晶ディスプレイ（Ｌｉｑｕｉｄ  Ｃｒｙｓｔａｌ  Ｄｉｓｐｌａｙ，ＬＣＤ）パネルの光源を提供するのに用いられる。バックライトモジュールにおける各構成要素は、底面及び頂面を含み、ＬＣＤパネルを参照基準とし、各構成要素のＬＣＤパネルから離れる面が底面と定義され、且つＬＣＤパネルを参照基準とし、ＬＣＤパネルに対向する面が頂面と定義される。
【００１４】
図１を参照すると、本考案の実施例によるバックライトモジュール１０の分解模式図を示す。バックライトモジュール１０は、第１のラスタ層１００、第１のバックライトユニット２００、第２のラスタ層３００及び第２のバックライトユニット４００を備える。
【００１５】
第１のラスタ層１００は、複数の第１の透光部１１０及び複数の第１の遮光部１２０を備え、第１の透光部１１０及び第１の遮光部１２０が交互に配列され、第１の透光部１１０及び第１の遮光部１２０が第１の方向Ｄ１に沿って延びる。
【００１６】
第１のバックライトユニット２００は、第１の導光板２２０及び第１の光源２３０を備え、且つオプションとして他の光学フィルムをさらに含む。ここでは、第１の輝度向上フィルム（Ｂｒｉｇｈｔｎｅｓｓ  Ｅｎｈａｎｃｅｍｅｎｔ  Ｆｉｌｍ）２１０をさらに含むことを例とする。
【００１７】
第１の導光板２２０は、第１のラスタ層１００の下方に設けられ、第１のラスタ層１００と第２のラスタ層３００との間に設けられる。第１の導光板２２０は、第１の側辺２２１及び第２の側辺２２２を含み、第１の側辺２２１と第２の側辺２２２が接続され、第１の側辺２２１の長さ方向Ｌ１と第１の方向Ｄ１とは実質的に平行であり、第２の側辺２２２の長さ方向Ｌ２は第１の方向Ｄ１に対して実質的に垂直であり且つ第２の方向Ｄ２と実質的に平行であり、第１の方向Ｄ１と第２の方向Ｄ２とは実質的に垂直である。
【００１８】
第１の光源２３０は、第１の方向Ｄ１に平行する且つ第２の方向Ｄ２に対して垂直である方向に沿って延びて、第１の導光板２２０の側辺に位置する。ここで、第１の光源２３０は、第１の導光板２２０の第１の側辺２２１に設けられ、第１の光源２３０の配置方式により、第１のバックライトユニット２００がエッジタイプ（Ｅｄｇｅ  Ｔｙｐｅ）のバックライトユニットである。第１の光源２３０は、第１の光線（未図示）を発させて第１のラスタ層１００を通過させ、具体的に、第１の光源２３０は、第１の光線を発させて第１の導光板２２０を経由して第１のラスタ層１００へ入射させ、少なくとも一つの第１の透光部１１０から出射する。
【００１９】
第１の輝度向上フィルム２１０は、第１のラスタ層１００と第１の導光板２２０との間に設けられ、第１の輝度向上フィルム２１０は、表面２１１、及び表面２１１に形成され且つ延伸方向Ｅ１が第１の方向Ｄ１と実質的に平行である複数の第１の集光構造２１２を備える。第１の集光構造２１２は、突出したストリップ状マイクロ構造であってもよく、第１のラスタ層１００に対向している。
【００２０】
第２のラスタ層３００は、第１のラスタ層１００及び第１のバックライトユニット２００の下方に設けられ、第２のラスタ層３００は、複数の第２の透光部３１０及び複数の第２の遮光部３２０を含み、第２の透光部３１０及び第２の遮光部３２０が交互に配列され、第２の透光部３１０及び第２の遮光部３２０は第２の方向Ｄ２に沿って延びる。
【００２１】
第２のバックライトユニット４００は、第２のラスタ層３００の下方に設けられ、第２のバックライトユニット４００は、第２の光線を発させて第２のラスタ層３００を通過させる。第２のバックライトユニット４００は、光学板４３０及び第２の光源４４０を含んでもよく、オプションとして他の光学フィルムをさらに含む。ここでは、第２の輝度向上フィルム４１０、拡散シート（Ｄｉｆｆｕｓｅ  Ｓｈｅｅｔ）４２０及び反射シート（Ｒｅｆｌｅｃｔｉｖｅ  Ｓｈｅｅｔ）４５０をさらに含むことを例とする。
【００２２】
光学板４３０は、底面４３２及び少なくとも一つの側辺４３１を含んでもよく、底面４３２と側辺４３１が接続される。ここで、第２の光源４４０は側辺４３１に設けられ、即ち、第２のバックライトユニット４００がエッジタイプバックライトユニットである。他の実施例において、第２の光源４４０は、底面４３２に設けられる可能があり、第２のバックライトユニット４００を直下型（Ｄｉｒｅｃｔ  Ｔｙｐｅ）バックライトユニットとして配置できる。
【００２３】
第２の輝度向上フィルム４１０は、第２のラスタ層３００と光学板４３０との間に設けられ、第２の輝度向上フィルム４１０は、表面４１１、及び表面４１１に形成され且つ延伸方向Ｅ２が第２の方向Ｄ２と実質的に平行である複数の第２の集光構造４１２を含んでもよい。第２の集光構造４１２は、突出したストリップ状マイクロ構造であってもよく、且つ第２のラスタ層３００に対向している。第１の集光構造２１２の延伸方向Ｅ１は、実質的に第２の集光構造４１２の延伸方向Ｅ２に対して垂直である。
【００２４】
より具体的に、第１のラスタ層１００及び第２のラスタ層３００は、ルーバーインキフィルムであってもよく、第１のラスタ層１００及び第２のラスタ層３００は、基材として透明薄膜を用いることができる。透明薄膜の一側の表面に、光を透過できない材質を印刷して第１の遮光部１２０及び第２の遮光部３２０を形成する。第１の光源２３０及び第２の光源４４０は、冷陰極蛍光ランプ（Ｃｏｌｄ  Ｃａｔｈｏｄｅ  Ｆｌｕｏｒｅｓｃｅｎｔ  Ｌａｍｐ，  ＣＣＦＬ）又は発光ダイオード（Ｌｉｇｈｔ  Ｅｍｉｔｔｉｎｇ  Ｄｉｏｄｅ，  ＬＥＤ）のライトバーであってもよいが、これらに限定されない。ここではＬＥＤライトバーを例とする。バックライトモジュール１０は、さらに他の光学フィルムを選択的に設けることにより光学的性質を向上できる。例えば、第１の輝度向上フィルム２１０及び第２の輝度向上フィルム４１０は、出射光の方向性を増加することで正面の輝度を向上することができる。本実施例において、第１の輝度向上フィルム２１０及び第２の輝度向上フィルム４１０はプリズムシート（Ｐｒｉｓｍ  Ｓｈｅｅｔ）であり、且つ各第１の集光構造２１２及び各第２の集光構造４１２の横断面は三角形であるが、本考案はこれに限定されない。他の実施例において、各第１の集光構造２１２及び各第２の集光構造４１２の横断面は、円弧状などのような他の形状で構成してもよい。拡散シート４２０は、出射光の均一性を向上できる。反射シート４５０は、第２の光源４４０からの、光学板４３０の底面４３２から漏れる第２の光線を光学板４３０へ反射させて、第２の光源４４０の利用効率を向上することができる。他の光学フィルムの種類及び配置は、実際のニーズに応じて柔軟に調整でき、本考案の実施を限定するものではない。
【００２５】
図３は、本考案の実施例による光線Ｌが第２のラスタ層３００を通過する光路模式図である。図３において、第２の透光部３１０は、第２の方向Ｄ２に沿って延びて、光線Ｌの第１の方向Ｄ１（左方向、右方向）での出射光角度Ａを縮小できる。類似的に、第１のラスタ層１００の第１の透光部１１０は、第１の方向Ｄ１に沿って延びて、光線の第２の方向Ｄ２（前方向、後方向）での出射光角度を縮小できる。
【００２６】
図４は、図１のバックライトモジュール１０の第１の広視野角共有モードでの光照射野分布図である。図４の測定を行う時に、第１の光源２３０がオン状態となり、第２の光源４４０がオフ状態となるため、第２の方向Ｄ２の出射光角度のみが縮小され、バックライトモジュール１０が第１の広視野角共有モードを提供できるようにする。バックライトモジュール１０が車両用ディスプレイに適用される場合、スクリーンから出射される光がフロントガラスに投射されて運転者の視野を妨げることを避けることができる。また、第１の光源２３０がオン状態となり、第２の光源４４０がオン状態となる場合、バックライトモジュール１０は、第２の広視野角共有モードを提供でき、第１の広視野角共有モードに比べて、第２の光源４４０がオン状態であるため、バックライトモジュール１０の輝度を向上できる。
【００２７】
図５は、図１のバックライトモジュール１０のプライバシモードでの光照射野分布図である。図５の測定を行う時に、第１の光源２３０は、オフ状態となり、第２の光源４４０は、オン状態となる。具体的に、光照射野分布図５１０は、第２の光線が第２のラスタ層３００を通過した後の測定結果であり、光照射野分布図５２０は、第２の光線が第１の輝度向上フィルム２１０を通過した後の測定結果であり、光照射野分布図５３０は、第２の光線が第１のラスタ層１００を通過した後の測定結果である。図５から分かるように、第２の光線が第２のラスタ層３００及び第１のラスタ層１００を連続的に通過する場合、第１の方向Ｄ１及び第２の方向Ｄ２の出射光角度が順次に縮小され、バックライトモジュール１０がプライバシモードを提供できるようにする。バックライトモジュール１０が助手席に位置する車両用ディスプレイに適用される場合、助手席に座っている乗客のみがスクリーンの内容を見ることができ、運転者の注意力散漫を防ぎ、乗客のプライバシーの保護に有利である。
【００２８】
本考案の図１のバックライトモジュール１０による実施例をディスプレイに適用する場合、そのディスプレイの視野角調整方法７００のステップフローチャートは、図７に示す。ディスプレイは、表示パネル（未図示）及びバックライトモジュール１０を含んでもよく、表示パネルはＬＣＤパネルであってもよく、ディスプレイは、ノートパソコン、タブレット、携帯電話などのような電子デバイスに搭載される。
【００２９】
ディスプレイの視野角調整方法７００は、以下のステップを含む。ステップ７１０は、スタートである。ステップ７２０では、利用者が第１の広視野角共有モード又はプライバシモードの実行を選択し、利用者は表示パネルに対して第１の広視野角共有モードを実行することを選択する場合、ステップ７３０へ進み、第１のバックライトユニット２００は、第１の光源２３０から発する第１の光線が第１の導光板２２０における第１の方向Ｄ１に平行する側辺（即ち、第１の側辺２２１）を経由して第１の導光板２２０へ入射するように制御され、第２のバックライトユニット４００は、第２の光線を発しないように制御される。利用者が表示パネルに対してプライバシモードを実行することを選択する場合、ステップ７４０へ進み、第１のバックライトユニット２００は、第１の光線を発しないように制御され、且つ第２のバックライトユニット４００は、第２の光線を発するように制御される。その後、ステップ７５０へ進み、即ち終了になる。このように、本考案のディスプレイの視野角調整方法７００は、第１の広視野角共有モード及びプライバシモードを選択的に実行できる。
【００３０】
図８を参照すると、本考案の他の一実施例によるディスプレイの視野角調整方法８００のステップフローチャートである。ディスプレイの視野角調整方法７００に比べて、ディスプレイの視野角調整方法８００には、第２の広視野角共有モードの選択が追加される。ステップ８２０では、利用者が第１の広視野角共有モード、第２の広視野角共有モード又はプライバシモードの実行を選択し、利用者が表示パネルに対して第２の広視野角共有モードを実行することを選択する場合、ステップ８３５へ進み、第１のバックライトユニット２００は、第１の光源２３０から発する第１の光線が第１の導光板２２０における第１の方向Ｄ１に平行する側辺（即ち、第１の側辺２２１）を経由して第１の導光板２２０へ入射するように制御され、且つ第２のバックライトユニット４００は、第２の光線を発するように制御される。図８のステップ８１０、８３０、８４０及び８５０は、それぞれ図７のステップ７１０、７３０、７４０及び７５０を参照できる。第１の広視野角共有モードに比べて、第２の広視野角共有モードにおいて、第２のバックライトユニット４００から発する第２の光線が追加されて、輝度をさらに向上できる。
【００３１】
図２は、本考案の他の一実施例によるバックライトモジュール１０ａの分解模式図である。バックライトモジュール１０ａは、第１のラスタ層１００、第１のバックライトユニット２００ａ、第２のラスタ層３００及び第２のバックライトユニット４００を備える。バックライトモジュール１０ａ、１０の相違点は、第１の光源２３０が設けられる位置であり、図２において、第１の光源２３０は、第１の方向Ｄ１に対して垂直し且つ第２の方向Ｄ２に平行する方向に沿って延びて第１の導光板２２０の一側辺に位置し、即ち、第１の光源２３０は、第１の導光板２２０の第２の側辺２２２に設けられる。このように、第１の光源２３０の出射光方向を第１の方向Ｄ１の左側方向に向かせる。
【００３２】
図６は、図２のバックライトモジュール１０ａの第１の視野角偏移共有モードでの光照射野分布図である。図６の測定を行う時に、第１の光源２３０がオン状態となり、第２の光源４４０がオフ状態となるため、第２の方向Ｄ２の出射光角度のみが縮小され、且つ出射光方向は第１の方向Ｄ１の左側方向に向け、これにより、バックライトモジュール１０ａは第１の視野角偏移共有モードを提供できる。バックライトモジュール１０ａが車両用ディスプレイに適用される場合、スクリーンから出射される光がフロントガラスへ投射して運転者の視野を妨げることを避けることができ、且つ右側の窓で反射される光がスクリーンの画面に干渉することを防ぐことができ、自動車が左運転システムとして構成された場合、反射の光による助手席の乗客への干渉を減らすことができる。
【００３３】
第１の光源２３０及び第２の光源４４０がいずれもオン状態である場合、バックライトモジュール１０ａは、第２の視野角偏移共有モードを提供でき、第１の視野角偏移共有モードに比べて、第２の光源４４０がオン状態である場合、バックライトモジュール１０ａの輝度を向上できる。
【００３４】
第１の光源２３０がオフ状態であり、第２の光源４４０がオン状態である場合、バックライトモジュール１０ａはプライバシモードを提供でき、バックライトモジュール１０ａとバックライトモジュール１０との相違点が第１の光源２３０の配置位置のみであることに基づいて、プライバシモードである場合に第１の光源２３０がオフ状態であるため、バックライトモジュール１０ａのプライバシモードでの光照射野分布図とバックライトモジュール１０のプライバシモードでの光照射野分布図とは同じであり、図５を参照できる。
【００３５】
本考案の図２のバックライトモジュール１０ａによる他の一実施例をディスプレイに適用する場合、そのディスプレイの視野角調整方法９００のステップフローチャートは、図９に示す。ディスプレイは、表示パネル（未図示）及びバックライトモジュール１０ａを含んでもよく、ディスプレイの詳細は、図７について説明を参照できる。
【００３６】
ディスプレイの視野角調整方法９００は、以下のステップを含む。ステップ９１０は、スタートである。ステップ９２０では、利用者が第１の視野角偏移共有モード又はプライバシモードの実行を選択し、利用者が表示パネルに対して第１の視野角偏移共有モードを実行することを選択する場合、ステップ９３０へ進み、第１のバックライトユニット２００ａは、第１の光源２３０から発する第１の光線が第１の導光板２２０における第２の方向Ｄ２に平行する側辺（即ち、第２の側辺２２２）を経由して第１の導光板２２０へ入射するように制御され、且つ第２のバックライトユニット４００は、第２の光線を発しないように制御される。利用者が表示パネルに対してプライバシモードを実行することを選択する場合、ステップ９４０へ進み、第１のバックライトユニット２００ａは、第１の光線を発しないように制御され、且つ第２のバックライトユニット４００は、第２の光線を発するように制御される。その後、ステップ９５０へ進み、終了となる。このように、本考案のディスプレイの視野角調整方法９００は、第１の視野角偏移共有モード及びプライバシモードを選択的に実行できる。
【００３７】
図１０は、本考案の他の一実施例によるディスプレイの視野角調整方法１０００のステップフローチャートである。ディスプレイの視野角調整方法９００に比べて、ディスプレイの視野角調整方法１０００には、第２の視野角偏移共有モードの選択が追加され、ステップ１０２０では、利用者が第１の視野角偏移共有モード、第２の視野角偏移共有モード又はプライバシモードの実行を選択し、利用者が表示パネルに対して第２の視野角偏移共有モードを実行することを選択する場合、ステップ１０３５を行い、第１のバックライトユニット２００ａは、第１の光源２３０から発する第１の光線が第１の導光板２２０における第２の方向Ｄ２に平行する側辺（即ち、第２の側辺２２２）を経由して第１の導光板２２０へ入射するように制御され、第２のバックライトユニット４００は、第２の光線を発するように制御される。図１０のステップ１０１０、１０３０、１０４０及び１０５０は、それぞれに図９のステップ９１０、９３０、９４０及び９５０を参照できる。第１の視野角偏移共有モードに比べて、第２の視野角偏移共有モードにおいて、第２のバックライトユニット４００から発する第２の光線が追加されて、輝度をさらに向上できる。
【００３８】
再度に図２を参照すると、他の実施例において、自動車が左運転システムとして構成された場合、第１の光源２３０を第１の導光板２２０の他の第２の側辺２２３に設けることができるため、第１の光源２３０の出射光方向を第１の方向Ｄ１の右側方向に向かせ、左側の窓に反射された光が表示スクリーンに干渉することを防ぐことができ、即ち、他の実施例のバックライトモジュールは、第３の視野角偏移共有モードを提供できる。このような配置において、第１の光源２３０及び第２の光源４４０がいずれもオン状態となる場合、バックライトモジュールが第４の視野角偏移共有モードを提供できる。他の実施例において、さらに、第１の導光板２２０の第１の側辺２２１、第２の側辺２２２，２２３にいずれも第１の光源２３０を設けて、バックライトモジュールが第１、第２の広視野角共有モード、第１から第４の視野角偏移共有モード及びプライバシモードを選択的に提供できるようにし、バックライトモジュールの汎用性を向上できる。
【００３９】
従来技術に比べて、本考案は、視野角を切り替えることが可能なバックライトモジュールを提供し、それはディスプレイに適用でき、ディスプレイに対して共有モード及びプライバシモードを提供でき、利用者のプライバシの保護に有利であり、他人への干渉を避けることができる。車両用ディスプレイに適用される場合、共有モードである時に、スクリーンの光がフロントガラスへ投射されて運転者の視野を妨げることを避けることができ、プライバシモードである時に、運転者が表示画面の内容を見ることを防ぐことができ、運転者の注意力散漫を防ぎ、乗客のプライバシーの保護に有利である。本考案から提供するバックライトモジュールは、さらに、第１の光源の設置位置を調整することによって、共有モードである時の出射光角度が右側又は左側に偏るようにし、これによって左側又は右側の窓の光がスクリーンに干渉することを防ぐことができ、ディスプレイの影像の品質をさらに向上するのに有利である。
【００４０】
上記は、本考案の好ましい実施例に過ぎず、本考案の特許出願の範囲内で行われた均等な変更及び修正はいずれも、本考案の特許請求の範囲内に属する。
【符号の説明】
【００４１】
１０，１０ａ．．．バックライトモジュール
１００．．．第１のラスタ層
１１０．．．第１の透光部
１２０．．．第１の遮光部
２００，２００ａ．．．第１のバックライトユニット
２１０．．．第１の輝度向上フィルム
２１１，４１１．．．表面
２１２．．．第１の集光構造
２２０．．．第１の導光板
２２１．．．第１の側辺
２２２，２２３．．．第２の側辺
２３０．．．第１の光源
３００．．．第２のラスタ層
３１０．．．第２の透光部
３２０．．．第２の遮光部
４００．．．第２のバックライトユニット
４１０．．．第２の輝度向上フィルム
４１２．．．第２の集光構造
４２０．．．拡散シート
４３０．．．光学板
４３１．．．側辺
４３２．．．底面
４４０．．．第２の光源
４５０．．．反射シート
５１０，５２０，５３０．．．光照射野分布図
７００，８００，９００，１０００．．．ディスプレイの視野角調整方法
７１０，７２０，７３０，７４０，７５０．．．ステップ
８１０，８２０，８３０，８３５，８４０，８５０．．．ステップ
９１０，９２０，９３０，９４０，５５０．．．ステップ
１０１０，１０２０，１０３０，１０３５，１０４０，１０５０．．．ステップ
Ａ．．．出射光角度
Ｄ１．．．第１の方向
Ｄ２．．．第２の方向
Ｅ１，Ｅ２．．．延伸方向
Ｌ１，Ｌ２．．．長さ方向
Ｌ．．．光線
【図１】
0003226894.tif 000003
【図２】
0003226894.tif 000004
【図３】
0003226894.tif 000005
【図４】
0003226894.tif 000006
【図５】
0003226894.tif 000007
【図６】
0003226894.tif 000008
【図７】
0003226894.tif 000009
【図８】
0003226894.tif 000010
【図９】
0003226894.tif 000011
【図１０】
0003226894.tif 000012